【事件の表示】
　特許第３３７２２８９号「ディジタルカメラ」の請求項１ないし６に係る特許に対する特許異議の申立てについて、次のとおり決定する。
【結　論】
　訂正を認める。
　特許第３３７２２８９号の請求項１、５に係る特許を取り消す。
　同請求項２ないし４に係る特許を維持する。
【理　由】
１． 手続の経緯
　特許第３３７２２８９号の請求項１ないし６に係る発明は、平成５年４月２８日に特許出願され、平成１４年１１月２２日にその特許権の設定登録がなされ、その後、有限会社オフィスアテナ（代表者高木四郎）より特許異議の申立てがなされ、取消しの理由が通知され、その指定期間内である平成１６年６月１５日に訂正請求がなされたものである。
　
２． 訂正の適否についての判断
（１） 訂正の内容
　本件訂正は、結局のところ以下のとおりである。
ア．訂正事項ａ
　特許請求の範囲を以下のとおり訂正する。
「【請求項１】　被写体を表わす光学像を撮像手段にて電気信号に変換し、該電気信号を表わす画像データを情報記録媒体に記録するディジタルカメラにおいて、該ディジタルカメラは、
　前記撮像手段にて撮像されて得られた画像データを格納する格納手段と、
　該格納手段に格納された画像データを前記情報記録媒体に記録するための処理を行なう処理手段と、
　該処理手段にて処理された画像データを前記情報記録媒体に記録する記録手段と、
　該ディジタルカメラの操作状態に応じた第１の段階にて第１の処理開始を前記処理手段に通知し、該第１の段階に続く第２の段階にて第２の処理開始を前記処理手段に通知する入力手段とを含み、
　前記処理手段は、
　前記入力手段から通知される第１の処理開始および第２の処理開始を検出する状態検出手段と、
　該状態検出手段にて検出された第１の処理開始および第２の処理開始のそれぞれに応じて、前記格納手段に格納された画像データを読出す読出手段と、
　該読出手段にて読出された画像データを圧縮する圧縮手段と、
　該圧縮手段にて圧縮された画像データを前記記録手段に出力する書込手段と、
　前記状態検出手段にて検出された第１の処理開始および第２の処理開始のそれぞれに応じて、第１の動作モードおよび第２の動作モードのいずれかの動作モードを選択して設定する切替手段と、
　該切替手段にて選択された動作モードに応じて、前記撮像手段への駆動方法を決定し、該撮像手段を駆動する駆動手段とを含み、
　前記圧縮手段は、前記切替手段にて選択された第１の動作モードにて前記被写体像の静止画像を表わす１コマの画像データを圧縮する第１の圧縮手段と、前記切替手段にて選択された第２の動作モードにて前記被写体像の動画像を表わす複数コマの連続した画像データを圧縮する第２の圧縮手段とを含むことを特徴とするディジタルカメラ。
【請求項２】　請求項１に記載のディジタルカメラにおいて、前記駆動手段は、前記切替手段にて第１の動作モードが設定されると、前記撮像手段に対してフレーム読出しをする第１の駆動信号を生成し、第２の動作モードが設定されると、前記撮像手段に対してフィールド読出しをする第２の駆動信号を生成して、それぞれ前記撮像手段を駆動し、
　前記読出手段は、前記切替手段にて第１の動作モードが設定された際、前記格納手段に格納された画像データを読み出し、前記切替手段にて第２の動作モードが設定された際、前記格納手段に格納された画像データのうち一部分の領域に対応する画像データを前記入力手段からの第２の処理開始を表わす通知に基づいた期間、連続して読出すことを特徴とするディジタルカメラ。
【請求項３】　請求項２に記載のディジタルカメラにおいて、該ディジタルカメラは、該ディジタルカメラの手ぶれ状態に応じた検出信号を生成する検出手段を備え、前記処理手段は、
　前記検出信号に基づいて、前記手ぶれ状態を表わす振動データを生成する手ぶれ検出手段と、
　前記振動データに基づいて、前記第２の動作モードにて前記格納手段に格納された画像データを連続して読み出した画像データ間のぶれ状態を補正する補正データを生成する補正手段とを含み、
　前記読出手段は、前記補正データに基づいて、前記一部分の領域の位置を変更し、該変更された領域に対応する画像データを読み出すことを特徴とするディジタルカメラ。
【請求項４】　請求項２に記載のディジタルカメラにおいて、前記駆動手段は、前記切替手段にて前記第２の動作モードが設定された際、前記第１の駆動信号による前記撮像手段の読出期間よりも、長い読出期間にて前記撮像手段に対してフィールド読出しをする第２の駆動信号を生成して前記撮像手段を駆動することを特徴とするディジタルカメラ。
【請求項５】　請求項１に記載のディジタルカメラにおいて、前記情報記録媒体は、画像データなどの情報の書き換えが可能な光ディスクであることを特徴とするディジタルカメラ。」
　　
（２） 訂正の目的の適否、新規事項の有無及び拡張・変更の存否
　上記訂正事項ａは、結果として、旧請求項５を削除し、旧請求項５の技術事項（の大部分）でもって請求項１の「入力手段」を限定的に減縮したものといえるから、特許請求の範囲の減縮を目的とした明細書の訂正に該当する。そして、この訂正は、新規事項の追加に該当せず、実質的に特許請求の範囲を拡張又は変更するものではない。
　
（３） むすび
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　
３． 特許異議申立てについての判断
（１） 申立ての理由の概要
　申立人有限会社オフィスアテナ（代表者高木四郎）は、（旧）請求項１ないし６（全請求項）に係る発明は、甲第１号証（特開昭６４−６５９９０号公報）、甲第２号証（特開昭６１−９８０８０号公報）、甲第３号証（特開平４−３２９７７２号公報）、甲第４号証（特開平４−３４５２９２号公報）をもとに容易に発明をすることができたものであり、特許法第２９条第２項の規定により、特許を受けることができないものであるから、特許を取り消すべきと主張している。
　　
（２） 本件の請求項１ないし５に係る発明
　上記２．で示したように上記訂正が認められるから、本件の請求項１ないし５に係る発明（以下、それぞれ「本件発明１」ないし「本件発明５」という）は、上記訂正請求に係る訂正明細書の特許請求の範囲の請求項１ないし５に記載された事項（上記２（１）ア．訂正事項ａ参照）により特定されるとおりのものである。
　
（３） 刊行物等
ア．刊行物１：特開昭６４−６５９９０号公報（異議申立人有限会社オフィスアテナ（代表者高木四郎）提示の甲第１号証）には以下の点が記載されている。
（ア）「カメラ一体型ＶＴＲの普及に従い、（中略）動画として記録・再生するだけでなく、その一部を静止画として再生し、更には動画の記録に混在して静止画の記録を行いたいとする要望が聞かれるようになった。しかし現在のＶＴＲでは、（中略）高画質の静止画を観察できるようにはなっていない。（中略）これに対しては、（中略）当該記憶画像をディジタル信号化して数トラックにわたって記録する方法などが本出願の出願人により提案されている。これらの方法によれば、良好な静止画をＶＴＲに記録・再生できりる。」（１頁右下欄１０行ないし２頁左上欄１３行）
（イ）「本発明は、そのような静止画／動画の両方の記録が可能な画像記録装置にあって、撮影画像及び記録画像を簡単に確認できるシステムを提示することを目的とする。」（２頁右上欄１行ないし４行）
（ウ）「以下、図面を参照して本発明の一実施例を説明する。第１図は、本発明の一実施例としてのカメラ一体型ＶＴＲの構成ブロック図を示す。第１図において、撮像管又は固体撮像素子及びその周辺回路で構成される撮像回路１０は、クロック発生回路１２からのクロックによって駆動され、Ｒ、Ｇ、Ｂ信号を出力する。」（２頁左下欄４行ないし１０行、第１図）
（エ）「３４は１フィールド分の記憶容量のフィールド・メモリ、３６はメモリ３４の書込及び読出並びにそのアドレスを制御するメモリ制御回路（中略）４０は、第１図の各回路を統括的に制御するシステム・コントローラであるが、具体的には、スイッチ２６，３０の切換及びメモリ制御回路３６を制御する。８は静止画記録を命令する操作スイッチ、（中略）スイッチ３０はシステム・コントローラ４０の制御下で、動画記録モード時にはａ接点側に接続し、静止画記録モード時にはｂ接点側に接続する。但し、（中略）信号劣化が問題にならない場合には、単に、メモリ３４の書込及び読出の制御で動画記録と静止画記録を制御してもよい。この場合にはスイッチ３０は不要になる。」（２頁右下欄１２行ないし３頁左上欄１４行）
（オ）「先ず、第１図の装置により動画を記録する通常の場合を説明する。システム・コントローラ４０は、フィールド・メモリ３６を書込モードにし、スイッチ３０をａ接点に接続する。（中略）撮像回路１０から混合器２４までの経路は上記の通りであり、混合器２４から出力されるコンポジット映像信号は、スイッチ３０を介してＹ／Ｃ分離回路に入力され、Ｙ信号はＦＭ変調器４４でＦＭ変調され、Ｃ信号は周波数変換回路４６で低域に変換され、混合器４８で周波数多重され、磁気ヘッド５６，５８により磁気テープ６０に記録される。この処理手順は公知である。次に静止画を記録する場合を説明する。例えば電子スチル・カメラのシャッタ操作に類似したスイッチ８の操作による静止画記録命令により、システム・コントローラ４０は、メモリ制御回路３６に指令してメモリ３４を読出モードにし、スイッチ３０をｂ接点側に接続する。そして、１／６０秒毎にフィールド・メモリ３４の内容を繰り返し読み出させる。これにより、Ｙ／Ｃ分離回路４２には全く同じフィールド画像（即ち、静止画像）が繰り返し印加され、このフィールド画像は動画の場合と同様にして磁気テープ６０に記録される。このように静止画を繰り返し印加することにより、再生時にランダム・ノイズを抑圧でき、良好な静止画を得ることができる。第２図は磁気テープ６０の記録トラックを示し、ＭＶは動画の記録領域、ＳＶは静止画の記録領域である。どちらの記録フォーマットも全く同じである。」（３頁右上欄３行ないし左下欄１６行）
（カ）「尚、本発明は、上述の実施例に限定されるものではなく、動画の記録フォーマットと静止画の記録フォーマットとが異なるシステムであっても適用可能である。例えば、更に良好な再生静止画を得るため、静止画はディジタル記録するものとし、フィールド・メモリ３４の記憶信号を一旦バッファ・メモリに供給し、これを記録可能な速度で読み出し、１フィールド分のビデオ信号を多数のトラックにわたって記録する構成とすることも可能である。」（４頁左上欄１３行ないし右上欄２行）
イ．刊行物２：特開昭６１−９８０８０号公報（異議申立人有限会社オフィスアテナ（代表者高木四郎）提示の甲第２号証）には以下の点が記載されている。
（ア）「本発明は電子カメラに関するものであり、特に静止画記録の動作と、通常のビデオカメラとしての動作との両方に好適な光電変換部の駆動制御手段を備えた電子カメラに関するものである。」（１頁右下欄９行ないし１３行）
（イ）「通常、第３図の回路は、シヤツタスイツチ９２が押される前は、ビデオカメラモードによるモニタ動作を行なつている。すなわち、動画時駆動回路８１により、（中略）光電変換部１の駆動を行ない、この光電変換部１より連続的に撮像信号を抽出し、この撮像信号を信号処理回路３１により、ビデオ信号としてモニタ６に出力し、モニタ６上に動画像を映し出すものである。上記のビデオカメラモードの状態において、シヤツタスイツチ９２が押された場合、第４図のシヤツタパルス（イ）を受けた制御回路７１は、第４図の切替パルス（ロ）を発生し、電子スイツチ７０１を静止画時駆動回路８２に切替える。つまり、電子カメラモードとなる。このとき、同時に第４図のシヤツタ動作パルス（ハ）により、ビデオカメラモードにおけるレンズ９１の例えば自動絞りなどの動作を中止し、シヤツタ機構を動作させてシヤツタを閉じ、外光の光電変換部の受光部への照射を中断させる。その直後、静止画時駆動回路８２は、光電変換部１に蓄積されていた電荷を全て読出した後、読出しを停止し、レンズ９１による結像画の蓄積を行なう状態となる。この状態となつた後、レンズ９１のシヤツタ機構によりシヤツタを開けて光電変換部１の受光部に露光する。シヤツタを閉じて露光を終了した後、静止画時駆動回路８２は、光電変換部１を前述した飛越し走査して、前記の表に示すように、奇フィールドでは２ｎ−１（奇数列）の画素列を、偶フィールド２ｎ（偶数列）の画素列を読み出し、通常のフレーム読出しを行なう。また、同時に、第４図の記録パルス（ニ）により記録回路４を動作させ、フレーム信号を記録ヘツド５を通じて不図示の記録媒体に記録する。記録後、制御回路７１は第４図の切替パルス（ロ）を反転させ、電子スイツチ７０１を動画時駆動回路８１に切替えて、通常のビデオ信号を発生させるビデオカメラモードとする。」（３頁右下欄６行ないし４頁右上欄５行、第３，４図）
（ウ）「第５図は前記Ｎｏ．４の走査例を実施する電子カメラの要部のブロック図である。第５図において、前記第３図と同一の符号は、同一または同等部分をあらわしている。３１ａは電子カメラモード時の信号処理回路、３１ｂはビデオカメラモード時の信号処理回路、７０２は上記信号処理回路３１ａと同３１ｂを切替える電子スイツチ、７０３は端子であり、前記第３図のように記録回路４とモニタ６に接続されている。電子カメラモードでは、電子スイツチ７０１，７０２により駆動回路８１，信号処理回路３１ａが接続される。ビデオカメラモードでは逆に駆動回路８２，信号処理回路３１ｂが接続されフイールド読み出しを行なう。」（４頁右下欄１５行ないし５頁左上欄８行、第５図）
ウ．刊行物３：特開平４−３２９７７２号公報（異議申立人有限会社オフィスアテナ（代表者高木四郎）提示の甲第３号証）には以下の点が記載されている。
（ア）「本発明は、ビデオ・カメラやＴＶカメラなどの撮影装置に関する。」（２頁１欄２１行ないし２２行）
（イ）「本発明は、このように、活用されていない画像情報を有効活用する撮像装置を提示することを目的とする。」（２頁２欄１４行ないし１６行）
（ウ）「画像信号処理によるぶれ補正では、概念的には、図２に示すように、通常より広い撮影画像情報エリア４０内で、カメラぶれを解消する方向に出力画像エリア４２を適当に移動させ、移動後の出力画像エリア４２内の画像情報を切り出して出力ビデオ信号を形成する。例えば、実線で示す出力画像エリア４２を、カメラぶれの量及び方向に応じて破線で示すエリアに移動させる。出力エリア４２の外側の斜線部分は、ぶれ補正（防振）に備えた余分な画像情報であり、ぶれ補正（防振）を行わないときには、全く利用されない。本実施例では、この斜線部分の画像情報を利用することを提案する。防振スイッチ３６がオンのとき、制御回路３２は防振モードで動作する。ぶれ検出回路３０は、カメラ本体のぶれを検出して、水平及び垂直方向のカメラぶれ量を示す信号を制御回路３２に出力する。撮像素子１６の出力はＡ／Ｄ変換器１８によりディジタル化されて画像メモリ２０に格納される。制御回路３２は、ぶれ検出回路３０により検出されるカメラぶれ量及び方向に応じて、画像メモリ２０上で画像データを読み出す記憶エリア（出力画像エリア４２に相当する。）を制御する。制御回路３２はまた、画像縮小回路２２を通過状態にする。選択された記憶エリアから読み出された画像データは、画像縮小回路２２を通過してＤ／Ａ変換器５６に印加され、アナログ化されてカメラ・プロセス回路２６に印加される。カメラ・プロセス回路２６は周知の信号処理を行ない、ビデオ信号として出力端子２８に出力する。防振スイッチ３６がオフのとき、制御回路３２は、電子ズーム・スイッチ３８で指定されるズーム比に応じて画像縮小回路３２の縮小率を設定する。この動作モードでは、画像メモリ２０からは、画像縮小回路３２で縮小した場合に、出力画像エリアに相当する大きさの画面の画像信号になるような広さの記憶エリアに記憶される画像データが読み出される。例えば、撮影画像情報エリア４０及び出力画像エリア４２に対して被写体４４が図３（Ａ）に示すような位置を占める場合に、撮影画像情報エリア４０を出力画像エリア４２に縮小するときには、出力画像は図３（Ｂ）に示すように縮小された画像になる。」（３頁３欄１８行ないし４欄９行、図２，３）
エ．刊行物４：特開平４−３４５２９２号公報（異議申立人有限会社オフィスアテナ（代表者高木四郎）提示の甲第４号証）には以下の点が記載されている。
（ア）「本発明は、（中略）撮影者の選択に応じてデータの圧縮処理形態を変えることにより、撮影者の要求に応じた撮影機能が発揮できるディジタルスチルビデオカメラを提供することを目的とする。（中略）このため本発明は、撮像した画像データをディジタル化し、このディジタル画像データの輝度信号と色差信号とを別々に圧縮処理するデータ圧縮手段を備えたディジタルスチルビデオカメラにおいて、通常画質モードと高画質モードとを選択的に切り換える画質モード切換手段と、画質モード切換手段で高画質モードが選択された時に前記データ圧縮手段の圧縮処理を輝度信号のみにすると共に輝度信号の圧縮率を低圧縮率にする圧縮率制御手段とを備えて構成した。また、撮像した画像データをディジタル化し、このディジタル画像データの輝度信号と色差信号とを別々に圧縮処理するデータ圧縮手段を備えたディジタルスチルビデオカメラにおいて、通常連写モードと高速連写モードとを選択的に切り換える連写モード切換手段と、連写モード切換手段で高速連写モードが選択された時に前記データ圧縮手段での圧縮処理を輝度信号のみとする圧縮処理制御手段とを備えて構成した。」（２頁２欄１４行ないし３５行）
（イ）「このように圧縮処理した輝度信号Ｙの圧縮データをバッファメモリ１１に一旦記憶させた後、メモリカード１２に記憶する。」（３頁４欄１２行ないし１４行）
　
（４） 本件発明１と刊行物１記載の発明（以下、「刊行物発明」という）との対比
　本件発明１と刊行物発明を対比すると、
ア．上記３（３）ア（イ）（ウ）（エ）（オ）によれば、刊行物発明は、カメラ一体型ＶＴＲであって、固体撮像素子及びその周辺回路で構成される撮像回路は、Ｒ、Ｇ、Ｂ信号を出力し、１フィールド分の記憶容量のフィールド・メモリ、メモリの書込及び読出並びにそのアドレスを制御するメモリ制御回路、メモリ制御回路を制御するシステム・コントローラを有し、メモリの書込及び読出の制御で動画記録と静止画記録を制御してもよいものであり、コンポジット映像信号は、スイッチ３０を介してＹ／Ｃ分離回路に入力され、Ｙ信号はＦＭ変調器でＦＭ変調され、Ｃ信号は周波数変換回路で低域に変換され、混合器で周波数多重され、磁気ヘッドにより磁気テープに記録されるものであるから、刊行物発明と本件発明１とは「被写体を表わす光学像を撮像手段にて電気信号に変換し、該電気信号を表わす画像データを情報記録媒体に記録するカメラ」である点で一致し、「カメラは、前記撮像手段にて撮像されて得られた画像データを格納する格納手段と、該格納手段に格納された画像データを前記情報記録媒体に記録するための処理を行なう処理手段と、該処理手段にて処理された画像データを前記情報記録媒体に記録する記録手段と、を含」む点で一致している。
　さらに、上記３（３）ア（エ）によれば、刊行物１には、システム・コントローラ４０が、メモリ制御回路３６を制御し、メモリ３４の書込及び読出の制御で動画記録と静止画記録を制御してもよい点が記載されており、電子スチル・カメラのシャッタ操作に類似したスイッチ８の操作による静止画記録命令によりシステム・コントローラ４０が静止画を記録・再生するようにメモリ制御する点が示唆されており、刊行物発明は、スイッチ８およびシステム・コントローラ４０が、第１の処理（静止画記録）開始を入力手段として通知するものであって、システム・コントローラ４０がそれにより状態検出している処理手段といえ、システム・コントローラ４０及びメモリ制御回路３６により、第１の処理開始に応じて、動作モードに即して、画像データをメモリから読み出しているものといえるから、刊行物発明と本件発明１とは「処理手段は、入力手段から通知される処理開始を検出する状態検出手段と、該状態検出手段にて検出された処理開始に応じて、前記格納手段に格納された画像データを読出す読出手段と」を含む点で一致しているとともに、動作モードの切替もおこなわれるといえるから、「状態検出手段にて検出された処理開始に応じて、動作モードを選択して設定する切替手段と含むことを特徴とするカメラ。」である点で一致している。
イ．してみると、両者は「被写体を表わす光学像を撮像手段にて電気信号に変換し、該電気信号を表わす画像データを情報記録媒体に記録するカメラにおいて、該カメラは、前記撮像手段にて撮像されて得られた画像データを格納する格納手段と、該格納手段に格納された画像データを前記情報記録媒体に記録するための処理を行なう処理手段と、該処理手段にて処理された画像データを前記情報記録媒体に記録する記録手段と、を含み、前記処理手段は、前記入力手段から通知される処理開始を検出する状態検出手段と、該状態検出手段にて検出された処理開始に応じて、前記格納手段に格納された画像データを読出す読出手段と、前記状態検出手段にて検出された処理開始に応じて、動作モードを選択して設定する切替手段と、を含むことを特徴とするカメラ。」である点で一致し、以下の点で一応相違しているものと認められる。
（ア）本件発明１が、「第１の処理開始および第２の処理開始」を検出し、「第１処理開始および第２の処理開始のそれぞれに」応じて読み出し、「第１の動作モードおよび第２の動作モードのいずれかの動作モードを選択して」切り替えるものであるのに対し、刊行物発明は、処理開始を検出し、処理開始に応じて読み出し、動作モードを選択して切り替えるものである点
（イ）本件発明１が、「ディジタルカメラの操作状態に応じた第１の段階にて第１の処理開始を前記処理手段に通知し、該第１の段階に続く第２の段階にて第２の処理開始を前記処理手段に通知する入力手段」を含むものであるのに対し、刊行物発明は「電子スチル・カメラのシャッタ操作に類似したスイッチ８の操作による静止画記録命令により、システム・コントローラ４０は、メモリ制御回路３６に指令してメモリ３４を読出モードに」するものである点
（ウ）本件発明１が、「切替手段にて選択された動作モードに応じて、撮像手段への駆動方法を決定し、撮像手段を駆動する駆動手段」を含むのに対し、刊行物発明はそのようなものではない点
（エ）本件発明１が、「読出手段にて読出された画像データを圧縮する圧縮手段と、該圧縮手段にて圧縮された画像データを記録手段に出力する書込手段」を有し、「圧縮手段は、切替手段にて選択された第１の動作モードにて被写体像の静止画像を表わす１コマの画像データを圧縮する第１の圧縮手段と、前記切替手段にて選択された第２の動作モードにて前記被写体像の動画像を表わす複数コマの連続した画像データを圧縮する第２の圧縮手段とを含む」ものであるのに対し、刊行物発明は、画像情報を圧縮しないで画像データをアナログ記録（ＦＭ記録）で磁気テープに書き込むものである点
（オ）本件発明１が、「ディジタルカメラ」であるのに対し、刊行物発明は、カメラ一体型ＶＴＲを一実施例とする画像記録システムである点
　
ウ．相違点についての検討
ａ．相違点（ア）について
　上記３（３）ア（エ）によれば、刊行物１には、システム・コントローラ４０が、メモリ制御回路３６を制御し、メモリ３４の書込及び読出の制御で動画記録と静止画記録を制御してもよい点が記載されており、電子スチル・カメラのシャッタ操作に類似したスイッチ８の操作による静止画記録命令によりシステム・コントローラ４０がメモリ制御する点が示唆されているのであって、しかも、電子スチル・カメラにおいてはシャッタスイッチを押すとそれに基づいて所定時間露光し、その後は自動的に露光終了となると解される。してみると、スイッチ８を押すと、通常の（動画録画モードの）状態から静止画記録が開始され、そして所定時間後に自動的に静止画録画が終了し、静止画が記録され、また通常の動画記録（モード）に戻るという動作を行うと解するのが自然である。
　また、そうでないとしても、動画記録をするものにおいては動画記録を開始するスイッチは常套であり、結局、上記スイッチ８あるいは別のスイッチによって動画記録が開始されると解するのが自然である。
　だとすれば、刊行物１には、スイッチ８およびシステム・コントローラ４０あるいはそれらとさらに加えられる別のスイッチによって、動画記録の処理開始についての処理が行われることが示唆されているといえるので、第１の処理（静止画記録）開始および第２の処理（動画記録）開始を入力手段として通知し、「第１の処理開始および第２の処理開始」を検出し、「第１処理開始および第２の処理開始のそれぞれに」応じて読み出し、第１の動作モードと第２の動作モードを切り替えるようにすることは当業者が容易に推考し得るものといえる。
ｂ．相違点（イ）について
　第１段階およびそれに続く第２の段階を有するスイッチ（入力手段）自体は、例えば半押しでＡＦ等を起動させ全押しでシャッタ動作をするスイッチの如く周知技術であって、適宜採用できるものである。
　してみると、上記周知のスイッチを採用して、ディジタルカメラの操作状態に応じた第１の段階にて第１の処理開始を前記処理手段に通知し、該第１の段階に続く第２の段階にて第２の処理開始を前記処理手段に通知する入力手段を含むごとくすることは、当業者が容易に推考しえたものといえる。
ｃ．相違点（ウ）について
　上記３（３）イ（ア）（イ）（ウ）によれば、刊行物２には、電子カメラモードおよびビデオカメラモードを有するカメラであって、電子カメラモードではフレーム読み出しを行う静止画時駆動回路が選択され、ビデオカメラモードではフィールド読み出しを行う動画時駆動回路が選択される点が記載されており、これを採用して、切替手段にて選択された動作モードに応じて、撮像手段への駆動方法を決定し、撮像手段を駆動する駆動手段を有するものとすることは、当業者が容易に推考しえたものといえる。
ｄ．相違点（エ）について
　上記３（３）エ（ア）（イ）によれば、刊行物４には、データ圧縮機能を有するデジタルスチルビデオカメラにおいて、各モードで圧縮処理を切り換えて記録する点が記載されているところ、静止画圧縮処理（例えば、ＪＰＥＧによる）および動画圧縮処理（例えば、ＭＰＥＧによる）自体は周知のものであり、また、動画記録および静止画記録をする機能を有する（デジタル）カメラにおいては、両圧縮処理は、静止画記録時あるいは動画記録時に適宜選択されて使用されると解するのが自然であり、また、上記３（３）イ（ウ）によれば、刊行物２には、電子カメラモードおよびビデオカメラモードを有するカメラであって、電子カメラモードおよびビデオカメラモードそれぞれの信号処理回路を切り替える点が記載されている。
　してみれば、「読出手段にて読出された画像データを圧縮する圧縮手段と、該圧縮手段にて圧縮された画像データを前記記録手段に出力する書込手段」を有し、「圧縮手段は、前記切替手段にて選択された第１の動作モードにて前記被写体像の静止画像を表わす１コマの画像データを圧縮する第１の圧縮手段と、前記切替手段にて選択された第２の動作モードにて前記被写体像の動画像を表わす複数コマの連続した画像データを圧縮する第２の圧縮手段とを含む」ように構成することは、当業者が容易に推考しえたものといえる。
ｅ．相違点（オ）について
　上記３（３）ア（ア）（カ）によれば、刊行物１には、静止画をデジタル記録してもよい旨が記載されており、刊行物発明のものは、デジタルカメラとしての機能を有してもよいものであってデジタルカメラとも解され、また、アナログ記録をするかデジタル記録をするかは個々の実施態様に応じて適宜選択し得る程度のことにすぎないともいえるから、この相違点は格別のものでない。
ｆ．そして、これら相違点を総合的に検討しても当業者が容易に推考し得たものであり、また、上記相違点に基づく本願発明の効果に格別顕著なものは認められない。
　
（５）本件発明２
　本件発明２は、本件発明１に「前記駆動手段は、前記切替手段にて第１の動作モードが設定されると、前記撮像手段に対してフレーム読出しをする第１の駆動信号を生成し、第２の動作モードが設定されると、前記撮像手段に対してフィールド読出しをする第２の駆動信号を生成して、それぞれ前記撮像手段を駆動し」（以下、「構成要件Ａ」という）、「前記読出手段は、前記切替手段にて第１の動作モードが設定された際、前記格納手段に格納された画像データを読み出し、前記切替手段にて第２の動作モードが設定された際、前記格納手段に格納された画像データのうち一部分の領域に対応する画像データを前記入力手段からの第２の処理開始を表わす通知に基づいた期間、連続して読出すこと」（以下、「構成要件Ｂ」という）を付加したものであるところ、このうち構成要件Ｂについては、何れの刊行物にも記載も示唆もない。
　すなわち、異議申立人は、この点は刊行物３（甲第３号証）に記載されていると主張しているが、上記３（３）ウ（ア）（イ）（ウ）によれば、刊行物３には、ビデオ・カメラやＴＶカメラなどの撮影装置において、防振スイッチがオンのときの（防振）モードでは、画像メモリに格納された画像データのうち、選択された記憶エリアを読みだし、防振スイッチがオフのときのモードでは、画像メモリからは、画像縮小回路で縮小した場合に、出力画像エリアに相当する大きさの画面の画像信号になるような広さの記憶エリアの画像データが読み出されるものが記載されているものの、これは、本願発明の如き静止画を対象としてフレーム読み出しをする第１の動作モードにおける読み出し処理および動画を対象としてフィールド読み出しをする第２の動作モードにおける読み出し処理についてのものではなく、それに相当するものとはいえない。
　また、異議申立書において提示された証拠である他の刊行物にも上記構成要件Ｂの点につき記載も示唆もない。
　したがって、上記刊行物によっては、本件発明２を取り消すことができない。
　　
（６）本件発明３
　本件発明３は、本件発明２に「該ディジタルカメラの手ぶれ状態に応じた検出信号を生成する検出手段を備え、前記処理手段は、前記検出信号に基づいて、前記手ぶれ状態を表わす振動データを生成する手ぶれ検出手段と、前記振動データに基づいて、前記第２の動作モードにて前記格納手段に格納された画像データを連続して読み出した画像データ間のぶれ状態を補正する補正データを生成する補正手段とを含み、前記読出手段は、前記補正データに基づいて、前記一部分の領域の位置を変更し、該変更された領域に対応する画像データを読み出すこと」点を付加したものであるところ、上記３（５）にあるとおり、本件発明２を取り消すことができないので、本件発明３も取り消すことができない。
　
（７）本件発明４
　本件発明４は、本件発明２に「前記駆動手段は、前記切替手段にて前記第２の動作モードが設定された際、前記第１の駆動信号による前記撮像手段の読出期間よりも、長い読出期間にて前記撮像手段に対してフィールド読出しをする第２の駆動信号を生成して前記撮像手段を駆動すること」点を付加したものであるところ、上記３（５）にあるとおり、本件発明２を取り消すことができないので、本件発明４も取り消すことができない。
　
（８）本件発明５
　本件発明５は、本件発明１に「前記情報記録媒体は、画像データなどの情報の書き換えが可能な光ディスクである」点を付加したものであると解されるところ、画像データなどの情報の書き換えが可能な光ディスクは周知技術にすぎないし、また、その採用も当業者にとって容易に推考しうるものである。
　したがって、本件発明１についての考察を勘案すれば、本件発明５は刊行物に記載された発明から当業者が容易に推考し得たものであり、また、上記相違点に基づく本願発明の効果に格別顕著なものは認められない。
　　
（７）被請求人の主張
ア　被請求人は、訂正請求書において、請求項１を削除し、請求項５を請求項１とした旨述べているが、訂正された請求項１には旧請求項５の「スイッチ手段にて構成されている」点がないから、旧請求項５を請求項１と訂正したものと認めることはできない。また、仮に被請求人に主張どおりとすると、旧請求項５を「スイッチ手段にて構成されている」点に限定されないものに拡大して請求項１としたということとなるところ、限定的減縮とも明りょうでない記載の釈明とも誤記の訂正ともいえないし、あるいは実質的に変更しているといえるから、やはり訂正は認められないこととなる。
　一方、上記主張とは別に当該訂正事項の内容を検討すると、訂正された請求項１は、旧請求項１に旧請求項５の技術事項（の大部分）を加入して「入力手段」を限定的に減縮し、請求項５を削除したものといえるから、結局のところ、この訂正を認めることができる。
イ　被請求人は、意見書において、「刊行物１に記載されているスイッチ３０は、メモリ３４を利用して動画記録と静止画記録とを行う際には不用であると記載されており、また、この場合、スイッチ３０のａ接点およびｂ接点の切替えは無用であり、また、スイッチ８は、静止画記録を命令するためのものであるので、刊行物１には、本件特許発明における「入力手段（ｄ）」の記載および示唆がな」く、また「処理手段」「記録手段」の記載がないと主張している。
　しかしながら、上記３（４）ないし（８）（「入力手段」については、特に（４）ウａｂ）で言及したように、これらの手段については、記載・示唆があるか、あるいは当業者が容易に推考しえたものといえる。
　したがって、被請求人の上記主張は採用することができない。
　　
（８）むすび
　以上のとおりであるから、本件発明１及び５は、いずれも刊行物に記載された発明に基いて当業者が容易に発明をすることができたものであるので、特許法第２９条第２項の規定により特許を受けることができない。
　したがって、本件発明１及び５についての特許は拒絶の査定をしなければならない特許出願に対してされたものと認める。
　一方、特許異議申立ての理由及び証拠によっては、本件発明２ないし４に係る特許を取り消すことができない。
　また、他に本件発明２ないし４に係る特許を取り消すべき理由を発見しない。
　したがって、本件発明２ないし４についての特許は拒絶の査定をしなければならない特許出願に対してされたものと認めない。
　よって、結論のとおり決定する。
【異議決定日】
平成１６年７月２６日（２００４．７．２６）
【訂正の要旨】
審決（決定）の【理由】欄参照。
（５４）【発明の名称】
ディジタルカメラ
（５７）【特許請求の範囲】
　【請求項
１
被写体を表わす光学像を撮像手段にて電気信号に変換し、該電気信号を表わす画像データを情報記録媒体に記録するディジタルカメラにおいて、該ディジタルカメラは、
　
前記撮像手段にて撮像されて得られた画像データを格納する格納手段と、
　
該格納手段に格納された画像データを前記情報記録媒体に記録するための処理を行なう処理手段と、
　
該処理手段にて処理された画像データを前記情報記録媒体に記録する記録手段と、
　
該ディジタルカメラの
て第
該
て第
入力手段とを含み、
　
前記処理手段は、
　
前記入力手段から通知される第１の処理開始および第２の処理開始を検出する状態検出手段と、
　
該状態検出手段にて検出された第１の処理開始および第２の処理開始のそれぞれに応じて、前記格納手段に格納された画像データを読出す読出手段と、
　
該読出手段にて読出された画像データを圧縮する圧縮手段と、
　
該圧縮手段にて圧縮された画像データを前記記録手段に出力する書込手段と、
　
前記状態検出手段にて検出された第１の処理開始および第２の処理開始のそれぞれに応じて、第１の動作モードおよび第２の動作モードのいずれかの動作モードを選択して設定する切替手段と、
　
該切替手段にて選択された動作モードに応じて、前記撮像手段への駆動方法を決定し、該撮像手段を駆動する駆動手段とを含み、
　
前記圧縮手段は、前記切替手段にて選択された第１の動作モードにて前記被写体像の静止画像を表わす１コマの画像データを圧縮する第１の圧縮手段と、前記切替手段にて選択された第２の動作モードにて前記被写体像の動画像を表わす複数コマの連続した画像データを圧縮する第２の圧縮手段とを含むことを特徴とするディジタルカメラ。
　【請求項２】請求項１に記載のディジタルカメラにおいて、前記駆動手段は、前記切替手段にて第１の動作モードが設定されると、前記撮像手段に対してフレーム読出しをする第１の駆動信号を生成し、第２の動作モードが設定されると、前記撮像手段に対してフィールド読出しをする第２の駆動信号を生成して、それぞれ前記撮像手段を駆動し、
　前記読出手段は、前記切替手段にて第１の動作モードが設定された際、前記格納手段に格納された画像データを読み出し、前記切替手段にて第２の動作モードが設定された際、前記格納手段に格納された画像データのうち一部分の領域に対応する画像データを前記入力手段からの第２の処理開始を表わす通知に基づいた期間、連続して読出すことを特徴とするディジタルカメラ。
　【請求項３】請求項２に記載のディジタルカメラにおいて、該ディジタルカメラは、該ディジタルカメラの手ぶれ状態に応じた検出信号を生成する検出手段を備え、前記処理手段は、
　前記検出信号に基づいて、前記手ぶれ状態を表わす振動データを生成する手ぶれ検出手段と、
　前記振動データに基づいて、前記第２の動作モードにて前記格納手段に格納された画像データを連続して読み出した画像データ間のぶれ状態を補正する補正データを生成する補正手段とを含み、
　前記読出手段は、前記補正データに基づいて、前記一部分の領域の位置を変更し、該変更された領域に対応する画像データを読み出すことを特徴とするディジタルカメラ。
　【請求項４】請求項２に記載のディジタルカメラにおいて、前記駆動手段は、前記切替手段にて前記第２の動作モードが設定された際、前記第１の駆動信号による前記撮像手段の読出期間よりも、長い読出期間にて前記撮像手段に対してフィールド読出しをする第２の駆動信号を生成して前記撮像手段を駆動することを特徴とするディジタルカメラ。
　【請求項
５
【発明の詳細な説明】
　【０００１】
　【産業上の利用分野】
　本発明は、被写体像を撮影するディジタルカメラに係り、静止画像および動画像を表わす画像データを同一の情報記録媒体に記録するディジタルカメラに関するものである。
　【０００２】
　【従来の技術】
　近年、静止画像を撮像してこの静止画像を表わす画像データをＩＣメモリカードに記録する電子スチルカメラや、動画像を撮像して得られた映像信号を磁気テープ（ビデオテープ）に記録するビデオムービーなどの撮像機器が知られている。
　【０００３】
　電子スチルカメラにて用いられるＩＣメモリカードは、たとえば、その記憶容量が数ＭＢｙｔｅ〜十数ＭＢｙｔｅであるために、ＩＣメモリカードには静止画圧縮処理が施されて圧縮された画像データが記録される。また、ビデオムービーにて用いられる磁気テープには、たとえば、動画像を表わす映像信号がＦＭ変調されて記録される。このようなＩＣメモリカードや磁気テープなどの情報記録媒体に記録された被写体像を表わす画像データや映像信号は、それぞれ専用の再生装置にて再生されて、この被写体像がたとえば、テレビモニタなどの表示装置に表示される。
　【０００４】
　【発明が解決しようとする課題】
　このような状況において、被写体を撮像して静止画像と動画像とを一つの情報記録媒体に記録したいという要望がある。しかしながら、従来の撮像機器を単に組み合わせただけでは、機器構成が大きくなって携帯性および操作性が悪化してしまい、さらには、コストが上昇してしまう。また、撮像して得られた画像データを一つに記録媒体に記録するために、静止画および動画を所望の画像品質にて情報記録媒体に適切に記録することが困難であった。
　【０００５】
　本発明はこのような従来技術の欠点を解消し、被写体像を撮像して、この被写体像を表わす静止画像および動画像を一つの情報記録媒体に適切に記録する操作性のよいディジタルカメラを提供することを目的とする。
　【０００６】
　【課題を解決するための手段】
　本発明は上述の課題を解決するために、被写体を表わす光学像を撮像手段にて電気信号に変換し、この電気信号を表わす画像データを情報記録媒体に記録するディジタルカメラにおいて、このディジタルカメラは、撮像手段にて撮像されて得られた画像データを格納する格納手段と、この格納手段に格納された画像データを情報記録媒体に記録するための処理を行なう処理手段と、この処理手段にて処理された画像データを情報記録媒体に記録する記録手段と、このディジタルカメラの操作状態に応じて第１の処理開始および第２の処理開始を処理手段に通知する入力手段とを含み、処理手段は、入力手段から通知される第１の処理開始および第２の処理開始を検出する状態検出手段と、この状態検出手段にて検出された第１の処理開始および第２の処理開始のそれぞれに応じて、格納手段に格納された画像データを読出す読出手段と、この読出手段にて読出された画像データを圧縮する圧縮手段と、この圧縮手段にて圧縮された画像データを録手段に出力する書込手段と、状態検出手段にて検出された第１の処理開始および第２の処理開始のそれぞれに応じて、第１の動作モードおよび第２の動作モードのいずれかの動作モードを選択して設定する切替手段と、この切替手段にて選択された動作モードに応じて、撮像手段への駆動方法を決定し、この撮像手段を駆動する駆動手段とを含み、圧縮手段は、切替手段にて選択された第１の動作モードにて被写体像の静止画像を表わす１コマの画像データを圧縮する第１の圧縮手段と、切替手段にて選択された第２の動作モードにて被写体像の動画像を表わす複数コマの連続した画像データを圧縮する第２の圧縮手段とを含むことを特徴とする。
　【０００７】
　この場合、駆動手段は、切替手段にて第１の動作モードが設定されると、撮像手段に対してフレーム読出をする第１の駆動信号を生成し、第２の動作モードが設定されると、撮像手段に対してフィールド読出をする第２の駆動信号を生成して、それぞれ撮像手段を駆動し、読出手段は、切替手段にて第１の動作モードが設定された際、格納手段に格納された画像データを読出し、切替手段にて第２の動作モードが設定された際、格納手段に格納された画像データのうち一部分の領域に対応する画像データを入力手段からの第２の処理開始を表わす通知に基づいた期間、連続して読出すとよい。
　【０００８】
　この場合さらに、このディジタルカメラは、このディジタルカメラの手ぶれ状態に応じた検出信号を生成する検出手段を備え、処理手段は、検出手段にて生成された検出信号に基づいて、手ぶれ状態を表わす振動データを生成する手ぶれ検出手段と、この手ぶれ検出手段にて生成された振動データに基づいて、第２の動作モードにて格納手段に格納された画像データを連続して読出した画像データ間のぶれ状態を補正する補正データを生成する補正手段とを含み、読出手段は、この補正手段にて生成された補正データに基づいて、格納手段の所定の領域の位置を変更して、この変更された所定の領域に対応する画像データを読み出すとよい。
　【０００９】
　また、駆動手段は、切替手段にて第２の動作モードが設定された際、第１の駆動信号による撮像手段の読出期間よりも、長い読出期間にて撮像手段に対してフィールド読出をする第２の駆動信号を生成して撮像手段を駆動するとよい。
　【００１０】
　また入力手段は、操作状態に応じた第１の段階にて第１の処理開始を処理手段に通知し、第１の段階に続く第２の段階にて第２の処理開始を処理手段に通知するスイッチ手段にて構成されているとよい。
　【００１１】
　また、情報記録媒体は、画像データなどの情報の書き換えが可能な光ディスクであるとよい。
　【００１２】
　【作用】
　本発明のディジタルカメラによれば、操作状態に応じて入力手段から第１の処理開始と、この第１の処理開始に続く第２の処理開始とが処理手段の状態検出手段にて検出されて、切替手段にて第１の処理開始に対応して第１の動作モードが設定され、第２の処理開始に対応して第２の動作モードが設定される。駆動手段は、設定された動作モードに応じて撮像手段を駆動し、撮像手段にて撮像されて得られた画像データは格納手段に格納される。
　【００１３】
　第１の動作モードでは、格納手段に格納された画像データが読出手段にて読み出されて、読み出された画像データは第１の圧縮手段にて圧縮される。また、第２の動作モードでは、格納手段に格納された画像データが読出手段にて読み出され、被写体像を表わす複数コマの連続した画像データが圧縮される。第１の圧縮手段および第２の圧縮手段にて圧縮された画像データは、記録手段にて情報記録媒体に記録される。
　【００１４】
　【実施例】
　次に添付図面を参照して本発明によるディジタルカメラの実施例を詳細に説明する。図１を参照すると、本願発明が適用されるディジタルカメラの一実施例が示されている。同図を参照するとディジタルカメラ１は、レンズ１０を介して受光部１２に結像された被写体の光学像を光電変換し、光電変換された各画素に対応する画素信号を処理して、得られた画像データをドライブ２４に装着された光ディスク２５に書き込む装置である。特にディジタルカメラ１は、操作者による操作状態に応じて、被写体の静止画像を表わす画像データおよび被写体の連続した動画像を表わす画像データをそれぞれ切り替えて光ディスク２５に記録する装置である。なお、以下の説明において、本願発明に直接関係のない部分は、図示およびその説明を省略し、また、信号の参照符号は、その現われる接続線の参照番号で表わす。
　【００１５】
　このディジタルカメラ１を詳しく説明すると、ディジタルカメラ１は、被写体の光学像を結像させるレンズ１０と、この光学像に応じた画素信号を出力する受光部１２と、受光部１２から出力された画素信号を処理して、被写体を表わす映像信号を生成する映像信号処理回路１４と、映像信号処理回路１４の出力をディジタル値にて表わされた画像データに変換するアナログ・ディジタル変換回路（ＡＤＣ）１６と、変換された画像データを一時格納するフレームメモリ１８と、フレームメモリ１８に格納された画像データを光ディスク２５に記録するために圧縮処理し、また、ディジタルカメラ１の全体の動作を制御する処理制御回路２０と、処理制御回路２０にて圧縮処理された画像データを光ディスク２５に記録するための制御を行なうコントローラ２２と、光ディスク２５を装着しコントローラ２２から出力された画像データを光ディスク２５に書き込むドライブ２４と、このディジタルカメラ１の手ぶれ状態を検出するセンサ２６と、操作者の操作状態を検出して、撮像画像の記録タイミングを処理制御回路２０に通知するシャッタ機構２８とを備えている。
　【００１６】
　受光部１２は、光学像を受光する受光面に結像された光学像を画素信号に変換する光電変換部である。受光部１２は、たとえば、ＣＣＤ（電荷結合素子）などの固体撮像素子（図示せず）を備えている。この固体撮像素子の受光面には、たとえば、光学像を３原色（ＲＧＢ）に分離するカラーフィルタが備えられるとよい。受光部１２は、入力５０に入力される処理制御回路２０からの駆動信号に応じて固体撮像素子を駆動する。受光部１２は、処理制御回路２０からの駆動信号に応じて、固体撮像素子にて光電変換された電荷をフレーム読出またはフィールド読出を行なう。受光部１２は、光電変換された電荷を駆動信号に応じて読み出し、この電荷に応じた画素信号を映像信号処理回路１４に接続された出力５２に出力する。この実施例における受光部１２の撮像画面を説明すると、図４（ａ）に示すように、撮像画面４００には、同図の水平方向（Ｈ）に６４０画素がそれぞれ配列され、また、垂直方向に４８０画素がそれぞれ配列されて、合計約３０万個の画素が配置されている。受光部１２は、処理制御回路２０から供給される駆動信号に応じて、撮像画面４００におけるそれぞれの位置の画素を読み出す。
　【００１７】
　映像信号処理回路１４は、受光部１２にて光電変換され生成された画素信号に所定の処理を施して適切な映像信号を生成する回路である。たとえば、映像信号処理回路１４は、入力５２に入力された画素信号を増幅し、さらに色バランスを補正する色補正、入出力特性を補正するガンマ補正および黒レベルなどの基準レベルを調節するクランプ処理などの映像信号処理を施して、再生に適切な映像信号を生成する。映像信号処理回路１４は、生成した映像信号をその出力５４に接続されたアナログ・ディジタル変換回路１６（以下、ＡＤＣ１６と呼ぶ）に出力する。
　【００１８】
　ＡＤＣ１６は、アナログの映像信号をディジタル値にて表わされた画像データに変換する変換回路である。詳しくはＡＤＣ１６は、入力５４に入力された映像信号を所定の周期毎に標本化してその標本値を量子化する。さらにＡＤＣ１６は、量子化された標本値をたとえば８ビット〜１０ビットのディジタルデータに符号化する。ＡＤＣ１６は、符号化された画像データをその出力５６に接続されたフレームメモリ１８にビットパラレルに出力する。
　【００１９】
　フレームメモリ１８は、画像データを格納する記憶回路である。フレームメモリ１８は、入力５６に入力した画像データを１画面毎に記憶し、また記憶した画像データを１画面毎に出力する機能を有している。フレームメモリ１８は、後述の処理制御回路２０から通知される読出制御信号に基づいて、格納した画像データを読出して出力６０に出力する。フレームメモリの出力６０は、一方はバス６０を介して処理制御回路２０に接続され、他方は分岐されてコントローラ２２に接続されている。
　【００２０】
　処理制御回路２０は、フレームメモリ１８に格納された画像データを読み出して、光ディスク２５に記録するためのデータに変換する処理を行なう処理回路である。また、処理制御回路２０は、ディジタルカメラ１の全体の動作を制御する制御回路である。処理制御回路２０は、フレームメモリ１８から読出してバス６０に現われた画像データを圧縮し、圧縮した画像データをバス６０を介してコントローラ２２に出力する機能を有している。また、処理制御回路２０は、後述のセンサ２６から通知されるこのディジタルカメラ１本体の振動状態やシャッタ機構２８から通知される操作者による操作状態に応じて受光部１２、フレームメモリ１８および後述のコントローラ２２を制御する。なお、この処理制御回路２０の詳細については後述する。
　【００２１】
　コントローラ２２は、処理制御回路２０にて処理された画像データを光ディスク２５に記録するために駆動装置２４を駆動制御する制御回路である。コントローラ２２は、処理制御回路２０の制御を受けて、ドライブ２４を駆動する駆動信号を生成する。また、コントローラ２２は、処理制御回路２０から出力されてバス６０を介して入力された記録用の画像データをＥＦＭ（Ｅｉｇｈｔ　ｔｏ　Ｆｏｕｒｔｅｅｎ　Ｍｏｄｕｌａｔｉｏｎ）変調して、さらに変調されたデータに誤り制御処理を施して書込データを生成する。コントローラ２２は、生成した駆動信号と書込データとをその出力６２に接続されたドライブ２４に出力する。
　【００２２】
　ドライブ２４は、光ディスク２５を装着して、コントローラ２２から供給される駆動信号に応じて、入力６２に入力される書込データを光ディスク２５に書き込む装置である。詳しくはドライブ２４は、コントローラ２２にて生成された書込データを光ディスク２５に書き込むための不図示の一組の光ピックアップおよび記録用磁気ヘッドを有し、さらにドライブ２４は光ピックアップの位置を基準に光ディスク２５を線速度一定に回転させる駆動機構を有している。ドライブ２４に装着される光ディスク２５は、たとえばミニディスクなどの情報の書換えが可能で高速なアクセスが可能な情報記録媒体が有利に適用される。このミニディスクは、たとえば、データの書換えが可能な記録領域を有する光磁気ディスクであり、この記録領域には、光ピックアップにてトラッキングするための案内溝が形成されて、この案内溝に沿ってトラックが形成されている。このトラックを認識することにより、半径方向に対する光ピックアップのシークが可能となり、これによってランダムアクセス等のデータサーチが実現する。ドライブ２４は入力６２に入力した書込データを磁気変調して記録用磁気ヘッドに供給する。また光ピックアップはデータの書込みおよび読出しのそれぞれの状態に応じて光ディスク２５のトラックにレーザ光を照射する。また光ピックアップは、トラックにて反射された光に応じた検出信号を生成して、この検出信号をコントローラに転送する。
　【００２３】
　センサ２６は、ディジタルカメラ１本体のぶれ状態を検出して、たとえばその検出したぶれ状態の情報を含む手ぶれ検出信号に変換して出力するセンサである。センサ２６は、たとえば、圧電振動ジャイロが有利に適用されて、ディジタルカメラ１の回路基板に固定される。その場合、センサ２６にはたとえば、圧電振動ジャイロを振動させるためのパルス信号を生成する発振回路およびその振動の変移状態を表わす信号を増幅する増幅回路等の駆動回路が備えられる。センサ２６は、変換した手ぶれ検出信号をその出力６４に接続された処理制御回路２０に出力する。
　【００２４】
　シャッタ機構２８は、操作状態に応じて撮像された画像データの記録タイミングを処理制御回路２０に通知する機構である。シャッタ機構２８は、操作状態に応じたオン／オフ信号を出力するスイッチ回路にて構成されている。詳しくは、図２にシャッタ機構２８の断面図の一例が示されているように、シャッタ機構２８は、たとえば、非導電性の支持体７０の中空部下方にバネ７２が配置され、バネ７２上に支柱形状のシャッタボタン７４が中空部内部に上下に移動可能に配置されている。シャッタボタン７４のほぼ中間部には、導電性を有する共通導通部７６が設けられ、同図におけるシャッタボタン７４の左方には共通導通部７６が上下に所定の幅を有して形成され、共通導電部７６の上部および下部はさらに右方に向けて共通導電部７６から延在されて形成されている。支持体７０の中空部に接する側面には、たとえば導電性を有する導電ゴムにて形成された接点７８ａおよび７８ｂがシャッタボタン７４の挿入位置に応じて共通導通部７６に接触するように配置されている。また、共通導通部７６と接点７８ｃとは常時接触され電気的に接続されている。接点７８ａ，７８ｂ，７８ｃはそれぞれ接続線６６ａ，６６ｂおよび６６ｃに接続され、図１に示した処理制御回路２０にそれぞれ接続されている。
　【００２５】
　共通導通部７６は、図２（ａ）に示すように平常時には、バネ７２の伸張力によって、接点７８ａおよび７８ｂに接触されない位置に配置される。また、シャッタボタン７４が上部から押下されてバネ７２が縮み同図（ｂ）に示す位置にシャッタボタン７４が移動すると、接点７８ｂが共通導通部７６に接触して、接続線６６ｂと接続線６６ｃとが電気的に接続されてオン状態となる。さらにシャッタボタン７４が押下されて同図（ｃ）に示す位置にシャッタボタン７４が移動すると接点７８ａが共通導通部７６に接触して、接続線６６ａと接続線６６ｃとが電気的に接続されてオン状態となる。このとき、共通導通部７６は接点７８ｂから離れて、接続線６６ｂと接続線６６ｃとはオフ状態となる。本明細書において、接点７８ｂが共通導通部７６に接触したオン状態を第１状態、およびそのときの信号を第１信号と称し、また接点７８ａが共通導通部７６に接触したオン状態を第２状態、およびそのときの信号を第２信号と称する。シャッタ機構２８は、第１信号もしくは第２信号を接続線６６を介して図１に示した処理制御回路２０に通知する。なお、このスイッチ構成はメーク・ブレーク式の構成でもよい。
　【００２６】
　ここで処理制御回路２０を図３を参照して、さらに詳細に説明すると、同図には処理制御回路２０の機能ブロック図が示されている。同図に示すように処理制御回路２０は、状態検出部３００と、切替処理部３０２と、読取処理部３０４と、駆動処理部３０６とを備えている。また、処理制御回路２０は、読出処理部３０８と、圧縮処理部３１０と、書込処理部３１２とを備えている。さらに、処理制御回路２０は、手ぶれ検出部３１４と、補正処理部３１６とを備えている。
　【００２７】
　状態検出部３００は、シャッタ機構２８から通知される第１信号および第２信号を検出してそれぞれ第１状態および第２状態を認識する機能部である。状態検出部３００は、認識したそれぞれの状態の開始および終了を表わす第１状態信号および第２状態信号を切替処理部３０２および読出処理部３０８に通知する。
　【００２８】
　切替処理部３０２は、状態検出部３００から通知された状態信号に基づいてディジタルカメラ１の動作モードを切り替える処理部である。詳しくは、切替処理部３０２は、状態検出部３００から第１状態信号が通知されると、読取処理部３０４、圧縮処理部３１０および補正処理部３１６のそれぞれの処理部に静止画像を記録する静止画モードを通知してディジタルカメラ１を静止画モードに設定する。また、切替処理部３０２は、状態検出部３００から第２状態信号が通知されると、読取処理部３０４および補正処理部３１６のそれぞれの処理部に動画像を記録する動画モードを通知してディジタルカメラ１を動画モードに設定する。
　【００２９】
　読取処理部３０４は、切替処理部３０２から通知された動作モードに応じて、受光部１２にて光電変換された電荷を読み出すための読取方法を設定する機能部である。切替処理部３０２から静止画モードが通知されると読取処理部３０４は、受光部１２にてフレーム読出を行なうように設定して駆動処理部３０６に通知する。また、動画モードが通知されると読取処理部３０４は、受光部１２にてフィールド読出を行なうように設定して駆動処理部３０６にする。
　【００３０】
　駆動処理部３０６は、読取処理部３０４にて設定された読取方法に応じて受光部１２を駆動する機能部である。駆動処理部３０６は、読取処理部３０４にてフレーム読出を行なうよう設定されると、図４（ａ）に示した撮像画面４００における画素を順次走査してフレーム読出をする駆動信号を生成する。また、駆動処理部３０６は、読取処理部３０４にてフィールド読出を行なうよう設定されると、図４（ｂ）に示した撮像画面４０１における画素を飛び越し走査してフィールド読出をする駆動信号を生成する。この場合、駆動処理部３０６は、１コマ毎の読出し間隔を長くして受光部１２の固体撮像素子における露光時間を長くする駆動信号を生成する。これによってフィールド読出の際、受光部１２における感度を上昇させることができる。駆動処理部３０６は、生成した駆動信号を出力５０に出力する。
　【００３１】
　読出処理部３０８は、フレームメモリ１８に格納された画像データを読み出す機能部である。読出処理部３０８は、フレームメモリ１８に格納された画像データを状態検出部３００から通知された状態信号に応じて読み出す。たとえば状態検出部３００から第１状態信号が通知されると読出処理部３０８は、フレームメモリ１８に格納された撮像画面４００における１画面分の画像データを順次読み出す。また、読出処理部３０８は、状態検出部３００から第２状態信号が通知されると、フレームメモリ１８に格納された画像データのうち、一部の画像データを読み出す。詳しくは、読出処理部３０８は、第１状態信号が通知された際、図４（ａ）に示した撮像画面４００の全域の画素に対応する画像データをフレームメモリ１８から読み出す。また、読出処理部３０８は、第２状態信号が通知された際、図４（ｂ）に示した撮像画面４０１の全域の画素のうち、その一部の画素にて構成された領域に対応する画像データをフレームメモリ１８から読み出す。たとえば、この実施例では、同図（ｂ）に示した領域４０２に対応する画像データをフレーム１８メモリから読み出す。この領域４０２は、水平方向（Ｈ）に３２０画素にて構成され、垂直方向（Ｖ）に２４０画素にて構成された領域である。また、読出処理部３０８は、第２状態信号が通知された期間に対応して複数画面の画像データを連続してフレームメモリ１８から読み出す。
　【００３２】
　なお、この領域４０２は、状況に応じてその領域サイズが変更されるとよい。これによりたとえば、撮影中の画面サイズを連続的に変更させて、その画面サイズに応じた画像データを連続して読み出すことができる。この場合、このようにして読み出されて、光ディスクに記録された画像データは、たとえば、再生時に補間等の処理を行なうことによりズーム効果を得ることができる。
　【００３３】
　さらに、読出処理部３０８は、フレームメモリ１８に格納された画像データが表わす映像のぶれ状態を補正する機能部である。読出処理部３０８は、後述の補正処理部３１６から通知される補正データに応じてフレームメモリ１８に格納された画像データの読出位置を変更して画像データを読み出す。この実施例における読出処理部３０８は、状態検出部３００から第２状態信号が通知されている際に、補正処理部３１６から補正信号が通知されて、その補正信号に応じて撮像画面４０１内における領域４０２の位置を変更し、その変更された位置に対応する読出アドレスを生成して、この読出アドレスに対応した画像データをフレームメモリ１８から読み出す。読出処理部３０８はフレームメモリ１８から読み出した画像データを圧縮処理部３１０に転送する。
　【００３４】
　圧縮処理部３１０は、読出処理部３０８から転送された画像データのデータ量を圧縮する機能部である。圧縮処理部３１０は、切替処理部３０２にて設定された静止画モードおよび動画モードのそれぞれの動作モードに対応する圧縮方法を選択して、選択した圧縮方法にて、読出処理部３０８から転送された画像データを圧縮処理する。この実施例における圧縮処理部３１０は、静止画像を表わす画像データを圧縮する静止画圧縮処理と、動画像を表わす画像データを圧縮する動画圧縮処理との２つの圧縮処理機能を有している。この実施例にて適用される圧縮処理方式としては、静止画圧縮処理ではＪＰＥＧ方式、動画圧縮処理ではＭＰＥＧ方式が有利に適用される。圧縮処理部３１０は、圧縮処理後の画像データを書込処理部３１２に転送する。
　【００３５】
　書込処理部３１２は、圧縮処理部３１０から転送された画像データを光ディスク２５に記録するための処理を行なう機能部である。詳しくは、書込処理部３１２は、画像データを光ディスク２５に記録するための所定の形式に変換する機能を有している。書込処理部３１２は、所定の形式に変換された画像データを光ディスク２５に記録させるための書込指示信号を生成してコントローラ２２に通知する。書込処理部３１２は、所定の形式に変換された画像データを出力６０に出力して、バス６０を介してコントローラ２２に転送する。
　【００３６】
　手ぶれ検出部３１４は、センサ２６から転送された手ぶれ検出信号をディジタルカメラ１のぶれ状態および振動状態に対応する振動データに変換する回路である。詳しくは、手ぶれ検出部３１４は、センサ２６から供給される手ぶれ検出信号を入力して、入力された手ぶれ検出信号からディジタルカメラ１が回転する際の角速度を表わす移動量データと、上下方向および左右方向のそれぞれの移動方向を表わす方向データとを抽出して、これらデータに対応した振動データを生成する。手ぶれ検出部３１４は、生成した振動データを補正処理部３１６に転送する。
　【００３７】
　補正処理部３１６は、手ぶれ検出部３１４から転送される振動データに応じて、ディジタルカメラ１にて撮像した動画像を表わす画像データのぶれ状態を補正する補正値を表わす補正データを生成する機能部である。詳しくは、補正処理部３１６は、転送された振動データが表わす移動量および移動方向に基づいて、画面４００における領域４０２の位置を移動させるための補正値を算出する。補正処理部３１６は、切替処理部３０２にて動画モードが設定されている場合に、算出した補正データを読出処理部３０８に通知する。
　【００３８】
　以上のような構成で、ディジタルカメラ１の動作を図１〜図４を参照して以下に説明する。レンズ１０が被写体に向けられ、その被写体像が受光部１２の受光面に結像した状態において、操作者によってシャッタ機構２８が操作されて、シャッタボタン７４が押下されると、まず、シャッタ機構２８の接点７８ｂと共通導電部７６とが接触する。これによって接続線６６ｂと６６ｃとが導通して、この第１状態を表わす第１信号が処理制御回路２０の状態検出部３００に通知される。第１信号が状態検出部３００に通知されると、シャッタ機構２８におけるシャッタボタン７４の状態が検出されて、第１状態信号が切替処理部３０２と読出処理部３０８とに通知される。
　【００３９】
　切替処理部３０２に第１状態信号が通知されると、この第１状態信号に対応した静止画モードが読取処理部３０４、圧縮処理部３１０および補正処理部３１６にそれぞれ通知されて、各機能部が静止画モードに設定される。静止画モードが設定された読取処理部３０４にて、受光部１２から画素信号の読出しをフレーム読出にて行なうように設定されて、駆動処理部３０６に通知される。駆動処理部３０６にフレーム読出を行なうことが読取処理部３０４から通知されると、その出力５０に受光素子１２をフレーム読出にて駆動する駆動信号が出力される。駆動信号５０は受光部１２に入力されて、受光面に結像した被写体像を表わす画素信号がフレーム読出にて読み出される。読み出された画素信号は、順次、受光部１２の出力５２に出力されて、映像信号処理回路１４に入力される。
　【００４０】
　映像信号処理回路１４に入力された画素信号は、増幅され、また、色補正、ガンマ補正およびクランプ処理などの信号処理が施されて、処理されて生成された映像信号は、出力５４に出力される。映像信号５４は、ＡＤＣ１６に入力されて、ディジタル化され、変換された画像データは、フレームメモリ１８にて一時格納される。
　【００４１】
　フレームメモリ１８に格納された１画面分の画像データは、処理制御回路２０の読出処理部３０８にて読み出される。このとき読出処理部３０８には状態検出部３００から第１状態信号が通知されているので、撮像画面４００におけるすべての画素に対応する画像データがフレームメモリ１８から読出処理部３０８に順次読み出される。読出処理部３０８に読み出された画像データは圧縮処理部３１０に順次転送される。この場合、切替処理部３０２にて設定された静止画モードに応じて静止画圧縮処理が圧縮処理部３１０に入力された画像データに対して施される。静止画圧縮された画像データは、書込処理部３１２に転送される。書込処理部３１２に入力された画像データは、光ディスク２５の所定の記録形式に変換される。一方、変換された画像データを光ディスク２５に記録させるための書込指示信号がその出力６０に出力されて、バス６０を介してコントローラ２２に入力され、次に、変換された画像データが出力６０に出力されて画像データがコントローラ２２に入力される。
　【００４２】
　コントローラ２２に書込指示信号が入力されると、ドライブ２４を駆動する駆動信号が生成されて出力６２に出力される。また、コントローラ２２に入力された画像データは、ＥＦＭ変調されて書込データが生成される。生成された書込データは出力６２に出力されてドライブ２４に入力される。ドライブ２４に入力された画像データは、記録用磁気ヘッドにて磁気変調され、光ディスクの記録面に磁界を与え、光ピックアップにてその反対の面にレーザ光が照射されることによって記録される。
　【００４３】
　シャッタボタン７４がさらに押下されて、シャッタ機構２８の接点７８ａと共通導電部７６とが接触すると、接続線６６ａと６６ｃとが導通し、第２状態を表わす第２信号が処理制御回路２０の状態検出部３００に通知される。この第２信号が状態検出部３００に通知されると、第２状態信号が切替処理部３０２と読出処理部３０８とに通知される。切替処理部３０２に第２状態信号が通知されると、この第２状態信号に対応した動画モードが読取処理部３０４、圧縮処理部３１０および補正処理部３１６にそれぞれ通知されて、各機能部が動画モードに設定される。動画モードが設定された読取処理部３０４では、受光部１２にて読み出す画素信号の読出方法をフィールド読出にて行なうように設定されて、駆動処理部３０６に通知される。この通知をうけると駆動処理部３０６は、その出力５０に受光素子１２をフィールド読出にて駆動する駆動信号が出力される。この駆動信号が受光部１２に入力されると、不図示の固体撮像素子にて光電変換された画素信号がフィールド読出にて読み出され、読み出された画素信号は順次受光部１２の出力５２に出力されて映像信号処理回路１４に入力される。
　【００４４】
　映像信号処理回路１４入力された画素信号は増幅され、また、所定の信号処理を受けてＡＤＣ１６に入力されてディジタル値にて表わされた画像データに変換される。ＡＤＣ１６にて変換された画像データは、順次フレームメモリ１８に格納される。フレームメモリ１８に格納された画像データは、状態検出部３００から第２状態信号が通知されている読出処理部３０８にて読み出される。このとき、撮像画面４０１の領域４０２の画素に対応する画像データがフレームメモリ１８から読み出される。
　【００４５】
　一方、センサ２６にてディジタルカメラ１の手ぶれ状態が検出されて、その手ぶれ状態を表わす手ぶれ検出信号が手ぶれ検出部３１４にて入力されると、その振動状態を表わす振動データが補正処理処理部３１６に転送される。この振動データが動画モードが設定されている補正処理部３１６に転送されると、画像データが表わす映像のぶれを補正するための補正データが生成されて、生成された補正データが読出処理部３０８に転送される。
　【００４６】
　第２状態信号が通知されている読出処理部３０８に補正データが転送されると、この補正データに応じて、撮像画面４０１における領域４０２の位置が補正されて、この補正された位置の領域４０２の画素に対応する画像データがフレームメモリ１８から読み出される。領域４０２の画素に対応する１つの画面の画像データが読み出されると、以降、領域４０２の位置が補正された複数の画面の画像データが第２状態信号が通知されている期間順次読み出される。読出処理部３０８にて読み出された画像データは、圧縮処理部３１０に転送される。動画モードが設定されている圧縮処理部３１０に、この領域４０２の画素に対応する画像データが順次入力されると、切替処理部３０２にて設定された動画モードに応じて動画圧縮処理が入力された画像データに対して順次施される。動画圧縮された画像データは、順次書込処理部３１２に転送されて、光ディスク２５の所定の記録形式に変換される。書込処理部３１２からこの画像データを光ディスク２５に記録するための書込指示信号が生成されて、生成された書込指示信号と画像データとは出力６０に出力されて、バス６０を介してコントローラ２２に送出される。このようにして処理制御回路２０にて順次処理された複数画面分の動画像を表わす画像データがコントローラ２２に順次転送される。
　【００４７】
　コントローラ２２に書込指示信号が入力されると、ドライブ２４を駆動する駆動信号が生成されて出力６２に出力される。また、コントローラ２２に入力された画像データは、ＥＦＭ変調されて書込データが生成される。生成された書き込みデータは出力６２に出力されてドライブ２４に入力される。ドライブ２４に入力された画像データは、記録用磁気ヘッドにて磁気変調され、光ディスクの記録面に磁界を与え、光ピックアップにてその反対の面にレーザ光が照射されることによって記録される。
　【００４８】
　シャッタボタン７４の押下状態が解除されて、シャッタボタン７４が図２（ａ）の位置に復帰して、光ディスク２５への記録中の画像データ書込が完了すると全ての処理が終了して、処理制御装置２０は、シャッタ機構２８からの入力待ちとなる。なおこのシャッタボタン７４の復帰途中に一度、シャッタ機構２８から第１信号が処理制御回路２０の状態検出部３００にて検出されるが、この第１信号は状態検出部３００にて無効な信号として処理されてよい。
　【００４９】
　以上説明したように、被写体を撮像して、静止画像と動画像とを選択して同一の光ディスク２５に記録する際に、静止画像を記録する場合は、フレームメモリ１８に格納された全画像データを処理して記録し、動画像を記録する場合は、フレームメモリ１８に格納された全画像データのうち一部の領域４０２に対応する画像データを処理して記録している。この動画像を記録する場合、領域４０２は、撮像画面４０１の画面サイズよりも小さく構成されており、領域４０２の周辺の残りの領域を手ぶれ補正用の領域として使用することができる。これによって、１コマ毎のデータ量が静止画像よりも少ない画像データを動画用として用いることによって、圧縮処理時間を短縮し、また、領域４０２の周辺の残りの画像データを廃棄することなく有効に利用することができる。この場合さらに、１コマ毎のデータ量が静止画像よりも少ない画像データを動画用として用いるので、受光部１２の固体撮像素子への露光時間を充分に与えて、画素信号を読出すことにより、コマ落としのない、いわゆるフレーム残像が生じた動画像を得ることができ、これによって、自然な再生画像を得ることができる。また、露光時間を充分に与えることにより、受光部１２における感度を上昇させることができる。
　【００５０】
　また、高速のアクセスが可能なミニディスクのような情報記録媒体を使用し、画像データの記録を開始するためのシャッタ機構２８の図示のような構成としたので、動画像と静止画像との切替をスムーズの行なうことができ、さらにどちらの撮影状況においてもシャッタチャンスを逃すことなく、簡便に希望の映像を記録することができる。
　【００５１】
　なお、この実施例において、駆動処理部３０６は、フィールド読出を行なう駆動信号を生成する際、１コマ毎の読出し間隔を長くして受光部１２への露光時間を長くする駆動信号を生成し、フレーム残像による自然な画像の効果や感度上昇を実現したが、本発明はこれに限らず、動画の記録時には、静止画の記録時と同じシャッタスピード、つまり固体撮像素子からの読出速度にて、画素信号を読み出すとよい。この場合、動画像の１コマ、１コマが静止画像と同じように手ぶれのない画像として記録することができ、また、静止画像および動画像は画像データのファイルとして定義が可能となって、光ディスク２５に記録された静止画像および動画像をランダムに検索することが可能となる。
　【００５２】
　【発明の効果】
　このように本発明のディジタルカメラによれば、静止画像と動画像とを入力手段にてスムーズに切り替えて、これら画像を表わす画像データを簡単な操作にて同一の情報記録媒体に記録することができる。また、静止画像および動画像を記録するために、駆動手段は撮像手段への駆動方式を適切に選択でき、また、圧縮手段は、読出手段にて読み出された画像データを適切に圧縮することができる。したがって、静止画像および動画像をそれぞれ表わす画像データを適切に一つの情報記録媒体に操作性よく記録することができる。
【図面の簡単な説明】
　【図１】
　本発明によるディジタルカメラの一実施例を示すブロック図である。
　【図２】
　図１に示したシャッタ機構の断面図およびその動作状態を示す図である。
　【図３】
　図１に示した処理制御回路の構成を示す機能ブロック図である。
　【図４】
　この実施例における撮像画面の一例を示す図である。
　【符号の説明】
　　１　ディジタルカメラ
　１０　レンズ
　１２　受光部
　１４　映像信号処理回路
　１６　アナログ・ディジタル変換回路（ＡＤＣ）
　１８　フレームメモリ
　２０　処理制御回路
　２２　コントローラ
　２４　ドライブ
　２５　光ディスク
　２６　センサ
　２８　シャッタ機構